(57)【要約】【課題】片流れ構造の屋根における換気効率を向上する。【解決手段】一方側に配置された棟部２１と、前記棟部２１から他方側下方に傾斜して設けられる屋根部２２と、を備え、棟部２１は、第１方向に沿って設けられる棟木３１と、棟木３１の上側及び前記一方側の側方を覆う棟包３２と、を有し、棟包３２は、棟木３１の一方側の側方を覆う側壁部４１ｃ，４２ｄと、屋根部１２の上方を覆う上壁部４１ｂと、を有し、側壁部４１ｃ，４２ｄを通じて棟部２１の一方側の側方に向けて棟部２１内の空気を排出可能とする第１の通気構造部３４が設けられる。【選択図】図２
2012241442.tif 000002
【特許請求の範囲】
【請求項１】
一方側に配置された棟部と、
前記棟部から他方側下方に傾斜して設けられる屋根部と、を備え、
前記棟部は、棟木と、前記棟木の上側及び前記一方側の側方を覆う棟包と、を有し、
前記棟包は、前記棟木の一方側の側方を覆う側壁部と、前記屋根部の上方を覆う上壁部と、を有し、
前記側壁部を通じて前記棟部の前記一方側の側方に向けて前記棟部内の空気を排出可能とする第１の通気構造部が設けられたことを特徴とする片流れ構造の屋根。
【請求項２】
前記棟部は、建物の外壁に設けられる破風板から上方及び前記一端側の外方に離間して配置されたことを特徴とする請求項１記載の片流れ構造の屋根。
【請求項３】
前記棟木は第１方向に沿って設けられ、
前記上壁部は、前記屋根部の上方に第２の通気構造部を介在して設けられ、
前記棟包の内側には、前記第１通気構造部を通じて一方側の外部に連通するとともに、記第２の通気構造部を通じて他方側の外部に連通する、通気空間が形成されることを特徴とする請求項１または２記載の片流れ構造の屋根。
【請求項４】
前記屋根部は、前記棟木から他方側下方に傾斜して延びる垂木と、前記垂木の上に設けられる野地板と、前記野地板の上に設けられる屋根部材と、を有し、
前記棟木と前記野地板との間に通気可能な隙間が形成され、
前記棟包の内側の前記通気空間は、前記棟木と前記野地板との間の前記隙間を通って前記建物の小屋裏に連通することを特徴とする請求項３記載の片流れ構造の屋根。
【請求項５】
前記棟包は、前記屋根部上端部分に対向配置される第１片と、前記第１面部の一端側上端の頂部で屈曲し縦方向に沿う第２片と、を連続して一体に有する第１パネル部材と、
前記第２片の内側で縦方向に沿う第３片と、前記第２片の下方で縦方向に沿う第４片とを連続して一体に有する第２パネル部材と、を有する棟包ユニットを備えて構成され、
前記第１パネル部材の第２片と、前記第２パネル部材との間に前記第１の通気構造部が形成され、
前記第１パネル部材の前記第１片と前記屋根部との間に前記第２の通気構造部が形成されることを特徴とする請求項３または４記載の片流れ構造の屋根。
【請求項６】
前記棟包は前記第１方向に複数の棟包ユニットを連続して備え、
前記棟部の少なくとも前記第１方向における一部に、前記第１パネル部材と前記第２パネル部材とが離間して配置され、前記第１パネル部材及び前記第２パネル部材の間に通気構造部が形成される第１ユニットが配置され、
前記棟部の少なくとも前記第１方向における他の一部に、前記第１パネル部材及び前記第２パネル部材の間に前記通気構造部を介在させずに、前記第１パネル部材と前記第２パネル部材とが近接して配置される第２ユニットが配置されることを特徴とする請求項５記載の片流れ構造の屋根。
【請求項７】
前記棟包は第１方向に沿って設けられ、
前記棟包の第１方向端部を塞ぐ止部が設けられ、
前記止部には、前記棟部の内外を通気可能とする第３の通気構造部が設けられたことを特徴とする請求項１乃至６のいずれか記載の片流れ構造の屋根。
【請求項８】
前記通気構造部には、通気板が設けられ、
前記通気板は、一対のプレートと、前記一対のプレート間に設けられる支柱部とを備え、前記一対のプレート間が通気可能に構成されたことを特徴とする請求項１ないし７のいずれかに記載の片流れ構造の屋根。
【発明の詳細な説明】
【技術分野】
【０００１】
本発明は、屋根に係り、特に片流れ構造の屋根の換気構造に関する。
【背景技術】
【０００２】
屋根の換気構造として、例えば棟部を中心として両側に傾斜する両流れ構造の屋根にあっては両側の軒先に設けられた通気経路を通じて、小屋裏や室内外の換気を可能とした構造が知られている（例えば特許文献１参照）。
【０００３】
また、一方側のみに傾斜した片流れ構造の屋根にあっては、一端の棟部に向って流れる空気を他端の軒先側に返すように構成される通気経路を通じて、小屋裏や室内外の換気を可能とした構造が提供されている。
【先行技術文献】
【特許文献】
【０００４】
【特許文献１】特開２００８−１５０９０４号公報
【発明の概要】
【発明が解決しようとする課題】
【０００５】
上述した技術では以下のような問題がある。すなわち、片流れ構造の屋根では一端の棟部に向かって流れる空気の方向を変換して他端の軒先側に戻して排出して換気すると換気性能が劣るという問題がある。
【０００６】
そこで、本発明は、換気効率の高い片流れ構造の屋根を提供することを目的とする。
【課題を解決するための手段】
【０００７】
本発明の一形態にかかる片流れ構造の屋根は、一方側に配置された棟部と、前記棟部から他方側下方に傾斜して設けられる屋根部と、を備え、前記棟部は、第１方向に沿って設けられる棟木と、前記棟木の上側及び前記一方側の側方を覆う棟包と、を有し、前記棟包は、前記棟木の一方側の側方を覆う側壁部と、前記屋根部の上方を覆う上壁部と、を有し、前記側壁部を通じて前記棟部の前記一方側の側方に向けて前記棟部内の空気を排出可能とする第１の通気構造部が設けられたことを特徴とする。
【発明の効果】
【０００８】
本発明によれば、片流れ構造の屋根における換気効率を向上することができる。
【図面の簡単な説明】
【０００９】
【図１】第１実施形態にかかる屋根を有する建物上部の斜視図。
【図２】同建物上部の構造を示す断面図。
【図３】同実施形態にかかる屋根の棟部の構造を示す断面図。
【図４】同棟部の構成を示す斜視図。
【図５】同棟部の構成を示す側面図。
【図６】第２実施形態にかかる屋根を有する建物上部の斜視図。
【図７】同屋根の第１ユニットの構造を示す断面図。
【図８】同屋根の第２ユニットの構造を示す断面図。
【図９】本発明の他の実施形態にかかる屋根の第１ユニットの構造を示す断面図。
【図１０】同屋根の第２ユニットの構造を示す断面図。
【図１１】本発明の多の実施形態にかかる屋根の構造を示す断面図。
【発明を実施するための形態】
【００１０】
［第１実施形態］
以下、本発明の第１実施形態にかかる屋根について図１乃至図５を参照して説明する。
【００１１】
図１は屋根を有する建物上部の斜視図、図２は断面図である。図３は棟部の断面図、図４は斜視図、図５は側面図である。
【００１２】
図１及び図２に示すように、建物１０は複数の外壁１１と、複数の外壁１１に囲まれた室内１２の上部開口を塞ぐ天井１３と、天井１３の上方の小屋裏空間１４を上方から塞ぐ屋根２０と、を備えている。
【００１３】
屋根２０は、一方のみに傾斜した所謂片流れ構造であり、建物１０の上部において例えば図中Ｘで示す幅方向（第２方向）の一端に配された棟部２１と、棟部２１から他端に向かって下方に傾斜して設けられた屋根部２２と、を備えて構成されている。棟部２１の長手方向が図中Ｙで示す前後方向（第１方向）に沿って延びている。
【００１４】
図２及び図３に示すように、屋根部２２は、棟部２１から他端側下方に傾斜して延びる複数本の垂木２３と、複数の垂木２３の上に支持される野地板２４と、野地板２４の上に防水材２５を介して設けられる屋根部材２６と、を有して構成される。防水材２５は、例えば防水シート２５ａや水返し板２５ｂで構成されている。屋根部材２６は例えば瓦であって、複数の屋根部材２６がＸ及びＹ方向に並列配置され互いに係合して組み合わされている。
【００１５】
屋根部２２のＸ方向両端において外壁１１より外側に突出した部分では、垂木２３の下側に受材２７や軒天材２８が設けられ、軒天２９を構成している。棟部２１は、屋根部２２の一端側であって建物１０の外壁１１から上方及び一方側の外方に離間した位置に配置され、棟部２１と外壁１１との間に軒天２９が介在している。
【００１６】
屋根部２２の他端側であって建物１０の外壁１１から下方及び一方側に離間した位置には軒先３０が構成されている。軒先３０では軒天材２８に複数の開口２８ａが設けられ、この開口２８ａによって軒先３０の内外が通気可能に連通している。この開口２８ａを通じて外部の空気が他端側から一端側に向って小屋裏空間1４へと流れ込む給気構造を構成している。
【００１７】
図３に示すように、棟部２１は、例えばＹ方向に沿って配置される棟木３１と、この棟木３１の上方及び一方側の側方を覆う棟包３２と、を備えている。棟木３１の上方であって棟包３２の内側には通気空間３３が形成されている。棟木３１と野地板２４の上端部との間には通気可能な隙間Ｓ１が形成され、この隙間Ｓ１を通って小屋裏空間１４と棟包３２の内側の通気空間３３とが連通している。通気空間３３はＹ方向に沿って連続し、棟包３２のＹ方向両端部に至って形成されている。
【００１８】
図１に示すように、棟包３２は、複数（図１では３つ）の棟包ユニット３２ＡをＹ方向に沿って連続して有している。図３に示すように、各ユニット３２Ａは、いずれも第１パネル部材４１と第２パネル部材４２とを組み合わせて構成されている。第１パネル部材４１及び第２パネル部材４２は、例えば、金属製の矩形の薄板からなり、プレス成形等により折曲形成されている。
【００１９】
第１パネル部材４１は、例えば一枚の矩形のパネル部材を折曲形成してなり、棟部２１の上端に位置する頂部４１ａで屈曲され、屋根部２２に沿って斜めに連続形成された上壁部としての第１片４１ｂと、頂部から下方に縦方向に連続形成され側壁部を構成する第２片４１ｃと、第１片４１ｂの下端部から屋根部材２６に近接するように下方に屈曲して連続形成された端片４１ｄと、端片４１ｄの下端部で屈曲して屋根部２２に沿って斜めに連続形成された第１水切り片４１ｅと、第２片４１ｃの下端で屈曲して側方かつ下方に傾斜して連続形成された第２の水切り片４１ｆと、を一体に備えている。
【００２０】
第２パネル部材４２は、例えば一枚の矩形のパネル部材を折曲形成してなり、第２片４１ｃの裏側（内側）に所定の間隔を空けて対向して縦方向に延びる第３片４２ａと、第３片４２ａの上端で屈曲して外方かつ上方に向かって斜めに連続形成された斜片４２ｂと、第３片４２ａの下端で屈曲して外方に向って横方向に連続形成された横片４２ｃと、横片４２ｃの外側端部から屈曲して下方に向かって縦方向に連続形成され側壁部を構成する第４片４２ｄと、第４片４２ｄの下端で屈曲して内側に向かって横方向に連続形成された端片４２ｅと、端片４２ｅの内側端から屈曲して下方に向かって破風板４６に沿って縦方向に連続形成された第３の水切り片４２ｆと、を一体に備えている。第４片４２ｄは隙間Ｓ２を間に介在して第２片４１ｃの下方に連続するように配置されている。
【００２１】
第１パネル部材４１は第２パネル部材４２の上方に離間して配置され、第４片４２ｄと第２片４１ｃの間に隙間Ｓ２が形成されるとともに、屋根部材２６の上面と第２の水切り片４１ｅとの間に隙間Ｓ３が形成されている。第２片４１ｃと第３片４２ａ上端の斜片４２ｂの先端部との間には隙間Ｓ４が形成されている。
【００２２】
第２片４１ｃの裏側と第３片４２ａとの間に形成される空間の上方かつ外方には第１の受桟４４Ａが配置され、釘部材Ｎによって固定されている。この受桟４４Ａの内側の空間に縦方向から横方向に屈曲するＬ字型の流路Ａ１が形成され、通気空間３３から隙間Ｓ４、流路Ａ１、隙間Ｓ２を通って外部に連通する第１の通気構造部３４を構成している。
【００２３】
第１片４１ｂの裏側には笠木４３Ａが配置され釘部材Ｎによって端片４１ｄに固定されている。笠木４３Ａの下側と屋根部材２６上面との間には屋根部２２に沿って傾斜する流路Ａ２が形成され、外部から隙間Ｓ３、流路Ａ２を通って通気空間３３に至る第２の通気構造部３５を構成している。
【００２４】
第４片４２ｄの内側には第２の笠木４３Ｂが配置され釘部材Ｎによって端片４２ｅに固定されている。笠木４３Ｂと棟木３１との間の空間には第２の受桟４４Ｂが介在されている。第２の受桟４４Ｂの下側において、軒天材２８の上端部２８ａと棟木３１の外側面を覆うように、破風板４６が取り付けられている。さらに笠木４３Ａの下面側には水返し板４７が設けられている。
【００２５】
図１、４，５に示すように、棟包３２のＹ方向両端部分には止部５０が設けられている。止部５０は第３のパネル部材５１と、第４のパネル部材５２を組み合わせて形成されている。第３のパネル部材５１と、第４のパネル部材５２は、例えば、金属製の矩形の薄板からなり、プレス成形等により折曲形成されている。
【００２６】
第３のパネル部材５１は、棟包３２のＹ方向端部において第１パネル部材４１及び第２パネル部材４２の端部に形成される開口を塞ぐように配置されている。第３のパネル部材５１は、棟包ユニット３２Ａの端部形状に対応する所定形状を成し縦方向に沿って棟包ユニット３２Ａの端部を覆う第５片５１ａと、第５片５１ａの下端で屈曲してケラバ破風５３に向って横方向に延びる横片５１ｂと、横片５１ｂの端部で屈曲してケラバ破風５３に沿って縦方向に延びる水切り片５１ｃとを連続して一体に有している。第５片５１ａの上下方向中央部分には、Ｘ方向に沿う開口部５１ｄが形成され、開口部５１ｄの上端縁から外方かつ下方に傾斜して突出する水切り片５１ｅが設けられている。
【００２７】
第４パネル部材５２は第５片５１ａの裏側で縦方向に延びる第６片５２ａを有している。第６片５２ａの上端は外方かつ上方に傾斜した斜片５２ｂが形成され、第６片５２ａの下端は屈曲して横方向に延びる横片５２ｃが形成される。第６片５２ａの内側には第３の笠木４３Ｃが配置され釘部材Ｎによって横片５１ｂに固定されている。
【００２８】
第３のパネル部材５１と第４のパネル部材５２は、互いに離間して配置されている。第５片５１ａの裏側には第３の受桟４４Ｃが配置されている。この受桟４４ｃと第６片５２ａとの間に縦方向から横方向に屈曲して開口部５１ｄに至るＬ字状の流路Ａ３が形成され、第３の通気構造部３６を構成している。
【００２９】
各水切り片４１ｅ、４１ｆ、４２ｆ、５１ｅはその端部が折り返されて２重構造になっており、隙間Ｓ２、Ｓ３、破風板４６部分、開口部５１ｄから棟部２１の内側に雨水や火が侵入するのを防ぐ防水・防火機能を有している。
【００３０】
笠木４３Ａ，４３Ｂ，４３ｃ、受桟４４Ａ，４４Ｂ、４４ｃはいずれもＹ方向に延びる細長い板材であり、Ｙ方向に連続配置される複数のユニット３２Ａにわたって設けられ、棟部２１のＹ方向両端部に至っている。
【００３１】
第１乃至第３の通気構造部３４，３５，３６には通気部材６０が配置されている。通気部材６０は、Ｙ方向に延びる細長部材であり、一対のプレート６１，６１を平行に備え、これらの一対のプレート６１，６１間に例えばハニカム構造の支柱部材６２を設けて構成されている。一対のプレート６１，６１間が四方に通気可能になっている。
【００３２】
本実施形態では、第２通気構造部３５には流路Ａ２に通気部材６０が２枚積層されて配置されている。また第１及び第３の通気構造部３４，３６では、縦方向から横方向に屈曲する流路Ａ１，Ａ３に沿って向きの異なる２つの通気部材６０が配置されている。
【００３３】
以上のように構成された屋根２０においては通気空間３３のＸ方向一方側は第１の通気構造部３４を通じて一方の外部空間に連通し、他方側は第２の通気構造部３５を通じて他方の外部空間と連通するようになっている。また、通気空間３３のＹ方向両端部は第３の通気構造部３６を通じて外部空間と連通するようになっている。さらに通気空間３３は隙間Ｓ１を介して小屋裏、室内と連通している。
【００３４】
小屋裏１４内の空気（「内部空気」とする。）は、隙間Ｓ１通じて棟部２１内部の通気空間３３に流出可能になっている。また、建物１０の外側で軒先３０側から屋根部２２に沿って流れる空気は、第２の通気構造部３５を通じて棟部２１内部の通気空間３３に流入可能になっている。さらに建物１０の外側の空気は図２中矢印で示すように軒先３０から開口２８ａを通って小屋裏空間１４及び棟部２１に向って他方から一方に流れこむようになっている。
【００３５】
棟部２１内部の通気空間３３に流入した空気は第１の通気構造部３４を通って、棟部２１の一方の側方から、建物１０の外側に排出される。また、通気空間３３の空気はＹ方向端部に設けられた止部５０の第３の通気構造部３６を通じて、屋根２０のＹ方向両端部から建物１０の外側に排出される。以上により、建物内外の空気が換気される。
【００３６】
本実施形態の屋根２０によれば、建物１０の一端上部に設けられた棟部２１の側方を通じて棟部２１内外を通気可能とする第１の通気構造部３４を構成したことにより、小屋裏空間１４や建物１０の内外において軒先３０側から一方の棟部２１に向って流れる空気を、一方側の側方に向かって流すように通気経路を確保でき、高い換気作用が得られる。
【００３７】
また軒先３０から開口２８ａを通じて矢印で示すように棟部２１に向って風が流れるため、他方（図２中右方）から一方（左方）に向かって風圧が発生する。このため、空気を例えば棟部２１から軒先３０側に向って排出する場合にはこの風圧と逆方向となるので風圧によって空気の排出が妨げられて換気効率が低下するが、本実施形態の屋根２０ではこの風圧の方向に沿って空気を棟部２１の側方に向って空気を排出するようにしたので換気効率が向上する。
【００３８】
また破風板４６から離れた棟部２１に通気構造部を構成したため、例えば破風板や外壁に通気用の構造を設ける場合に比べて室内１２に雨水や火が入り難く、高い防火性及び防水性を維持することが出来る。
【００３９】
また、上記実施形態によれば、一対のパネル部材４１、４２を組み合わせ、第１のパネル部材４１を上方にずらして離間させて配置するだけの簡単な構造で、棟部２１の両側に通気経路を確保できるので、組み立て性に優れている。
【００４０】
さらに、Ｙ方向端部の止部５１にも第３の通気構造部３６を設けたことにより、複数方向に通気経路が確保でき、換気効率をより一層向上できる。
【００４１】
［第２実施形態］
以下、本発明の第２実施形態にかかる屋根１２０について、図６、図７、及び図８を参照して説明する。図６は本実施形態に係る建物１１０の上部を示す斜視図であり、図７は第１ユニット３２Ａの断面図、図８は第２ユニット３２Ｂの断面図である。なお、本実施形態では、Ｙ方向において換気構造付きの第１ユニット３２Ａと換気構造のない第２ユニット３２Ｂとを設けているが、各部材の基本的な構成は上記第１実施形態にかかる屋根１２０と同様であるため、共通する説明を省略する。
【００４２】
本実施形態では、図６に示すように、棟包３２のＹ方向における一部分は換気構造付きの第１ユニット３２Ａで構成され、その他の部分は換気構造のない第２ユニット３２Ｂで構成されている。ここでは、ユニット３２Ａ、３２ＢがＹ方向に交互に並べて配置されている。そしてＹ方向両端部分には上記第１実施形態と同様に止部５０が設けられている。
【００４３】
第１ユニット３２Ａ及び第２ユニット３２Ｂは、いずれも第１実施形態にかかる屋根２０同様の第１パネル部材４１と第２パネル部材４２を組み合わせて構成されている。
【００４４】
図７に示すように、第１ユニット３２Ａでは、第１パネル部材４１と第２パネル部材４２とは、上記第１実施形態と同様に、間に隙間Ｓ２，Ｓ３、流路Ａ１、Ａ２が形成されるように、離間して配置され、その間に通気部材６０及び水返し板を配置して第１及び第２の通気構造部３４．３５を構成している。
【００４５】
一方図８に示すように、第２ユニット３２Ｂでは第１ユニット３２Ａと同じ構造の第１及び第２パネル部材４１，４２が隙間Ｓ２，Ｓ３を形成せずに近接して配置され、通気部材６０や水返し板４７を介在せずに配置されている。第２ユニット３２Ｂでは、第２片４１ｃの下に連続して第４片４２ｄが配置され、水切り板４１ｅの下面は屋根部材２６上に当接している。
【００４６】
すなわち図６に示すように、第１ユニット３２Ａでは第２ユニット３２Ｂよりも第１パネル４１が上方に位置するように配置されている。この他の部材は第１ユニット３２Ａと第２ユニット３２Ｂとで、同じ高さ位置に配置され、Ｙ方向に連続して配置されている。
【００４７】
また、図７，８に示すように、屋根１２０では、Ｙ方向に延びる棟木３１は、第１ユニット３２Ａに対応する部分のみ上端３１ａが切りかかれて野地板２４との間に隙間Ｓ１が形成されるようになっている。そして、第２ユニット３２Ｂに対応する部分においては棟木３１の上端３１ａが野地板２４の下面に当接しており、隙間Ｓ１が形成されないようになっている。
【００４８】
また、第２ユニット３２Ｂにおいては、第２片４１ｃの裏側と第３片４２ａとの間に形成される空間を埋めるように、上記第１実施形態よりも幅が大きく構成された第１の受桟４４Ａが配置され、釘部材Ｎによって固定されている。したがって、本実施形態の屋根１２０において第２ユニット３２Ｂでは縦方向から横方向に屈曲するＬ字型の流路Ａ１は形成されていない。
【００４９】
すなわち、この第２ユニット３２Ｂにおいては隙間Ｓ１〜Ｓ３、流路Ａ１、Ａ２及び通気構造部３４，３５が形成されず、換気構造付きの第１ユニット３２Ａにおいてのみ隙間Ｓ１〜Ｓ３，流路Ａ１、Ａ２及び通気構造部３４，３５が構成されている。建物１０内外の空気は、この第１ユニット３２Ａの通気構造部３４，３５と、Ｙ方向両端に形成された止部５０の第３通気構造部３６とを通って換気されるようになっている。
【００５０】
本実施形態においても上記第１実施形態と同様の効果が得られる。すなわち、棟部２１の側方から空気を流出可能とする第１の通気構造部３４を構成したことにより、換気効率の向上ができ、さらに防水性・防火性に優れた構造とすることができる。
【００５１】
また、本実施形態にかかる屋根１２０では、換気構造を構成する部位と換気構造を形成しない部位とで同じパネル部材４１，４２を用いてユニット３２Ａ、３２Ｂを組み立てることができるので、部品組立て性に優れている。すなわち、同形状の複数のパネル部材を、一方のパネル部材４１の位置を変えて間に通気部材６０を介在させるだけで容易に通気経路を確保できる。
【００５２】
なお、本発明は前記実施の形態に限定されるものではなく、本発明の要旨を逸脱しない範囲で種々変形実施可能である。また、各部の具体的構成や材質等は上記実施形態に例示したものに限られるものではなく適宜変更可能である。例えば、他の実施形態として図９，１０に示すように、屋根２０を構成する各部材の形状や配置を変えてもよい。この場合にも上記第２実施形態と同様の効果が得られる。また、他の実施形態として図１１に示すように野地板２４や防水材２５に開口２４ａを形成して隙間Ｓ１を構成してもよい。
【００５３】
さらに、上記実施形態の構成要件のうち一部を省略しても本発明を実現可能である。
【符号の説明】
【００５４】
１０…建物、１１…外壁、１２…室内、１３…天井、１４…小屋裏空間、２０，１２０…屋根、２１…棟部、２２…屋根部、２３…垂木、２４…野地板、２５…防水材、２６…屋根部材、２８…軒天材、２８ａ…上端部、２９…軒、３０…軒先、３１…棟木、３２…棟包、３２Ａ…棟包ユニット（第１ユニット）、３２Ｂ…第２ユニット、３３…通気空間、３４…第１の通気構造部、３５…第２の通気構造部、３６…第３の通気構造部、４１…第１パネル部材、４２…第２パネル部材、５０…止部、５１…第３のパネル部材、５２…第４のパネル部材、６０…通気部材。
【図１】
2012241442.tif 000003
【図２】
2012241442.tif 000004
【図３】
2012241442.tif 000005
【図４】
2012241442.tif 000006
【図５】
2012241442.tif 000007
【図６】
2012241442.tif 000008
【図７】
2012241442.tif 000009
【図８】
2012241442.tif 000010
【図９】
2012241442.tif 000011
【図１０】
2012241442.tif 000012
【図１１】
2012241442.tif 000013